(57)【要約】      （修正有）【課題】強風に吹かれてもめくり上がり難い直骨耐風傘を提供する。【解決手段】直骨耐風傘は傘布、耐風傘骨フレーム、中棒３、ハンドル、耐風連接棒５、だぼ６、下ロクロ７、上ロクロ８、可動ロクロ９、中ロクロ１０を有し、中棒の頂部に上ロクロを固定し、中棒上部に上から下へと順番に、可動ロクロ、中ロクロ、下ロクロを可動に取り付け、上ロクロ、可動ロクロ、中ロクロ、下ロクロ上に耐風傘骨フレームを連接設置し、耐風傘骨フレーム上に傘布を固定設置し、耐風傘骨フレームは親骨２−１、受骨２−２、短骨２−３、耐風連接棒を有し、親骨の後端と上ロクロは連接し、可動ロクロ周囲と耐風傘骨フレームの間に耐風連接棒を増設し、親骨のめくれ上がりを制限する。中ロクロと親骨の間に受骨を設置し、下ロクロと受骨の間に短骨を設置し、傘骨フレーム全体の強度と堅固性を強化し、サポート作用を生じることで、傘のめくり上がりを回避する。【選択図】図２
0003228955.tif 000002
【実用新案登録請求の範囲】
【請求項１】
直骨耐風であって、傘布、耐風傘骨フレーム、中棒、ハンドル、耐風連接棒、だぼ、下ロクロ、上ロクロ、可動ロクロ、中ロクロを有し、
前記中棒の頂部には、上ロクロを固定するように取り付け、中棒上部には、上から下へと順番に、可動ロクロ、中ロクロ、下ロクロを可動するように取り付け、
前記上ロクロ、可動ロクロ、中ロクロ、下ロクロ上には耐風傘骨フレームを連接して設置し、耐風傘骨フレーム上には傘布を固定して設置し、耐風傘骨フレームは、親骨、受骨、短骨、耐風連接棒を有し、親骨の後端と上ロクロは連接し、受骨の後端と中ロクロは連接し、受骨の前端と親骨は連接し、短骨後端と下ロクロは連接し、短骨前端と受骨は連接し、耐風連接棒後端と可動ロクロは連接し、耐風連接棒前端と親骨は連接することを特徴とする直骨耐風傘。
【請求項２】
前記可動ロクロは、中棒上に嵌めて設置され、しかも上ロクロの下方に設置され、可動ロクロ周囲には、耐風連接棒を設置し、耐風連接棒前端は、だぼを通して、親骨の末端と連接することを特徴とする請求項１に記載の直骨耐風傘。
【請求項３】
前記中棒底端には、ハンドルを取り付けることを特徴とする請求項１に記載の直骨耐風傘。
【請求項４】
前記中ロクロと下ロクロの間には、ばねを取り付けることを特徴とする請求項１に記載の直骨耐風傘。
【請求項５】
前記受骨前端は、だぼを通して、親骨と連接することを特徴とする請求項１に記載の直骨耐風傘。
【請求項６】
前記短骨前端は、だぼを通して、受骨と連接することを特徴とする請求項１に記載の直骨耐風傘。
【請求項７】
前記耐風連接棒は、ファイバー、カーボンファイバー、スチール、アルミ合金、樹脂或いはロープを採用することを特徴とする請求項１に記載の直骨耐風傘。
【請求項８】
前記耐風連接棒は、５〜２４個設置されることを特徴とする請求項１に記載の直骨耐風傘。
【考案の詳細な説明】
【技術分野】
【０００１】
本考案は耐風傘の技術領域に関し、特に直骨耐風傘に関する。
【背景技術】
【０００２】
傘は日除け、雨除けに用いる道具で、強い日差し、雨、強風などの自然界の人体に対する不快な干渉を遮り、自由な行動の便を図るものである。
【０００３】
一般に人が傘を使用する時には共通の問題がある。
それは強風や大雨の際に、強力な風力により傘布がめくれ上がってしまうという問題である。
傘布がめくれ上がってしまえば、普通の直骨傘は損壊し、傘骨を交換するか、新しく傘を買うかしか選択肢はない。
【考案の概要】
【考案が解決しようとする課題】
【０００４】
前記先行技術には、強風により傘布がめくれ上がってしまい損壊すれば、傘骨を交換するか、新しく傘を買うかしか選択肢がないという欠点がある。
【課題を解決するための手段】
【０００５】
本考案は強風の中でも正常に使用でき、風に吹かれてもめくり上がり難く、強風と台風に抗する目的を達成できる直骨耐風傘に関する。
【０００６】
本考案による新型直骨耐風傘は、傘布、耐風傘骨フレーム、中棒、ハンドル、耐風連接棒、だぼ、下ロクロ、上ロクロ、可動ロクロ、中ロクロを有する。
中棒の頂部には、上ロクロを固定するように取り付け、中棒上部には、上から下へと順番に、可動ロクロ、中ロクロ、下ロクロを可動するように取り付ける。
該上ロクロ、可動ロクロ、中ロクロ、下ロクロ上には耐風傘骨フレームを連接して設置し、耐風傘骨フレーム上には傘布を固定して設置する。
耐風傘骨フレームは、親骨、受骨、短骨、耐風連接棒を有し、親骨の後端と上ロクロは連接し、受骨の後端と中ロクロは連接し、受骨の前端と親骨は連接し、短骨後端と下ロクロは連接し、短骨前端と受骨は連接し、耐風連接棒後端と可動ロクロは連接し、耐風連接棒前端と親骨は連接する。
【０００７】
好ましくは、該可動ロクロは、中棒上に嵌めて設置され、しかも上ロクロの下方に設置され、周囲には、耐風連接棒を設置し、耐風連接棒前端は、だぼを通して、親骨の末端と連接する。
【０００８】
好ましくは、該中棒底端には、ハンドルを取り付ける。
【０００９】
好ましくは、該中ロクロと下ロクロの間には、ばねを取り付ける。
【００１０】
好ましくは、該受骨前端は、だぼを通して、親骨と連接する。
【００１１】
好ましくは、該短骨前端は、だぼを通して、受骨と連接する。
【００１２】
好ましくは、該耐風連接棒は、ファイバー、カーボンファイバー、スチール、アルミ合金、樹脂或いはロープを採用する。
【００１３】
好ましくは、該耐風連接棒は、５〜２４個設置される。
【００１４】
従来の技術と比較した本考案の効果は以下の通りである。
本考案は従来の防風傘に比べ、可動ロクロ周囲と耐風傘骨フレームの間に耐風連接棒を増設し、親骨のめくれ上がりを制限しながら、傘骨フレームの堅固性も強化でき、サポート作用を生じることで、強風及び台風の中でも風に吹かれ損壊することはない。
強風の中でも正常に使用でき、風に吹かれてもめくり上がり難く、強風と台風に抗する目的を達成できる。
耐風連接棒は、非常に信頼性が高く、しかも堅固な材質を採用して製造される。
中ロクロと親骨の間には受骨を設置し、下ロクロと受骨の間には短骨を設置し、耐風連接棒の引っ張りに対応して傘フレーム全体の強度を高められるため、風に吹かれての傘のめくり上がりを回避できる。
本考案は使用において手動雨傘及び自動雨傘に応用することができる。
【図面の簡単な説明】
【００１５】
【図１】本考案による直骨耐風傘の構造模式図である。
【図２】本考案による直骨耐風傘の中棒と耐風傘フレーム連接の構造模式図である。
【考案を実施するための形態】
【００１６】
（一実施形態）
本考案の実施形態或いは従来の技術中の技術方案について明確に説明するため、以下では、実施形態或いは従来の技術に対して、図を用いて簡単に紹介する。
図は本考案の実施形態に過ぎず、本領域の通常の技術人員であれば創造的労働をしなくとも、これら図示の構造に基づき他の図を導き出すことができる。
【００１７】
以下では本考案の実施形態を示す図により、本考案の実施形態中の技術方案について明確、完全に説明する。
説明する実施形態は本考案の実施形態の一部に過ぎず、実施形態のすべてでないことは明らかである。
本考案中の実施形態に基づき、本領域の通常の技術人員であれば、創造的労働をしなくとも、すべての他の実施形態を導き出すことができ、これらもすべて本考案保護の範囲に含まれる。
【００１８】
本考案の実施形態における方向性に関わる指示（上、下、左、右、前、後など）は、ある特定の状態（図示参照）における各構成部材間の相対位置関係、運動状況等の説明に用いるだけで、その特定の状態が変化した場合には、その方向性指示もそれに応じて変化する。
【００１９】
本考案の実施形態において“第一”、“第二”等の記述がある場合には、それは目的の記述に用いるだけで、その相対的な重要性を指示または暗示、或いは技術特徴の数を示すものであるとは理解できない。
これにより、“第一”、“第二”と限定された特?は、少なくとも１個の該特徴を含むと明示或いは暗示している。
各実施形態の間の技術方案は相互に結合できるが、本領域の通常の技術人員が実現可能であることを基礎とし、技術方案の結合に相互矛盾が出現、或いは実現不可能な時には、この種の技術方案の結合は存在しないと認定すべきで、本考案要求の保護範囲には含まれない。
【００２０】
実施形態１
図１、２に示す通り、本考案は以下の技術方案を提供する。
直骨耐風傘は、傘布１、耐風傘骨フレーム２、中棒３、ハンドル４、耐風連接棒５、だぼ６、下ロクロ７、上ロクロ８、可動ロクロ９、中ロクロ１０を有する。
中棒３の頂部には、上ロクロ８を固定するように取り付け、中棒３上部には、上から下へと順番に、可動ロクロ９、中ロクロ１０、下ロクロ７を可動するように取り付ける。
上ロクロ８、可動ロクロ９、中ロクロ１０、下ロクロ７上には耐風傘骨フレーム２を連接して設置し、耐風傘骨フレーム２上には傘布１を固定して設置する。
耐風傘骨フレーム２は、親骨２-１、受骨２-２、短骨２-３、耐風連接棒５を有する。
親骨２-１の後端と上ロクロ８は連接し、受骨２-２の後端と中ロクロ１０は連接し、受骨２-２の前端と親骨２-１は連接し、短骨２-３後端と下ロクロ７は連接し、短骨２-３前端と受骨２-２は連接し、耐風連接棒５後端と可動ロクロ９は連接し、耐風連接棒５前端と親骨２-１は連接する。
【００２１】
具体的には、可動ロクロ９は、中棒３上に嵌めて設置され、しかも上ロクロ８の下方に設置され、可動ロクロ９周囲には、耐風連接棒５を設置し、耐風連接棒５前端は、だぼ６を通して、親骨２-１の末端と連接する。
【００２２】
具体的には、中棒３底端には、ハンドル４を取り付ける。
【００２３】
具体的には、中ロクロ１０と下ロクロ７の間には、ばねを取り付ける。
【００２４】
具体的には、受骨２-２前端は、だぼ６を通して、親骨２-１と連接する。
【００２５】
具体的には、短骨２-３前端は、だぼを通して、受骨２-２と連接する。
【００２６】
具体的には、耐風連接棒５は、ファイバー、カーボンファイバー、スチール、アルミ合金、樹脂或いはロープを採用する。
【００２７】
具体的には、耐風連接棒５は、５〜２４個設置し、５〜２４個の傘骨フレームに適用される。
【００２８】
本考案の作動原理及び使用過程について説明する。
本考案の使用時には、耐風傘骨フレーム２を開くと、下ロクロ７は中ロクロ１０を連動して上方へと移動させる。
中ロクロ１０と親骨２-１の間には受骨２-２を設置し、下ロクロ７と受骨２-２の間には短骨２-３を設置する。
中ロクロ１０は、親骨２-１に対する受骨２-２のサポート作用に対応し、下ロクロ７は、受骨２-２に対する短骨２-３のサポート作用に対応する。
中ロクロ１０と下ロクロ７の間には、ばねを連接して設置し、相互間は、弾性作用力を生じる。
中ロクロ１０上方の中棒３上には、可動ロクロ９を嵌めて設置し、可動ロクロ９周囲と耐風傘骨フレーム２の間には、耐風連接棒５を増設する。
可動ロクロ９は、耐風傘骨フレーム２に対する耐風連接棒５の引っ張り作用力に対応し、親骨２-１のめくれ上がりを制限することができ、耐風傘骨フレーム２全体の強度と堅固性を強化し、サポート作用を生じることで、風に吹かれての傘のめくり上がりを回避できる。
これにより、強風の中でも正常に使用でき、風に吹かれてもめくり上がり難く、強風と台風に抗する目的を達成できる。
耐風連接棒５は、非常に信頼性が高く、しかも堅固な材質を採用して製造する。
【００２９】
本考案の使用時には、手動雨傘及び自動雨傘に応用することができる。
【００３０】
最後に以下について説明する。
上記は本考案の実施形態にすぎず、本考案を限定するものではなく、前述の実施形態は、本考案について詳細な説明を行なっているが、本領域の技術人員にとっては、前述の各実施形態記載の技術方案に基づき修正が可能で、或いは一部の技術特徴に対して同等の入れ替えを行うことができる。
本考案の精神、原則内で行うあらゆる修正、同等の入れ替え、改善等は、すべて本考案の保護範囲に含まれる。
【符号の説明】
【００３１】
１  傘布、
２  耐風傘骨フレーム、
２-１  親骨、
２-２  受骨、
２-３  短骨、
３  中棒、
４  ハンドル、
５  耐風連接棒、
６  だぼ、
７  下ロクロ、
８  上ロクロ、
９  可動ロクロ、
１０  中ロクロ。
【図１】
0003228955.tif 000003
【図２】
0003228955.tif 000004